【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
モバイル機器に非音声データを供給する方法であって、
モバイル機器のユーザが基地局を経由する音声通話を終了させた後、モバイル機器と基地局との間の接続を維持するステップと、
前記接続が維持されている間、非音声データを受信するステップと、
前記非音声データを受信するステップを完了すると、前記モバイル機器と基地局間の接続を切るステップと、から成る、前記方法。
【請求項２】
非音声データが受信される周波数に対応するユーザから入力を受信するステップを更に含み、前記受信するステップが前記周波数に従って実行される、請求項１記載の方法。
【請求項３】
非音声データを受信する前記ステップの間、非音声データに含まれる項目の選択に対応して、ユーザから入力を受信するステップを更に含み、且つ非音声データを受信する前記ステップが前記選択に従って実行される、請求項１記載の方法。
【請求項４】
モバイル機器が携帯電話である、請求項１記載の方法。
【請求項５】
非音声データが、電子メール、株価情報、天気予報、ニュースのうちの少なくとも１つから成る、請求項１記載の方法。
【請求項６】
モバイル機器のユーザが特定の電話を掛けることにより非音声データが取得されるモバイル機器において、前記非音声データを自動的に取得する方法であって、
非音声データを音声通話の終りに追加する選択肢をユーザに与えるステップと、
ユーザが前記選択肢を選択すると、音声通話の終了時に前記非音声データを自動的に取得するステップと、から成る、前記方法。
【請求項７】
非音声データを取得する前記ステップが、
基地局を経由する音声通話をユーザが終了させた後、モバイル機器と基地局との間の接続を維持するステップと、
前記接続が維持されている間、非音声データを受信するステップと、
前記受信するステップの終了時に、前記モバイル機器と基地局との間の接続を切るステップと、から成る、請求項６記載の方法。
【請求項８】
非音声データが取得される周波数に対応するユーザから入力を受信するステップを更に含み、前記取得するステップが前記周波数に従って実行される、請求項６記載の方法。
【請求項９】
非音声データを取得する前記ステップの間、前記非音声データに含まれる項目の選択に対応するユーザから入力を受信するステップを更に含み、前記取得するステップが前記選択に従って実行される、請求項６記載の方法。
【請求項１０】
モバイル機器が携帯電話である、請求項６記載の方法。
【請求項１１】
非音声データが、電子メール、株価情報、天気予報、ニュースのうちの少なくとも１つから成る、請求項６記載の方法。
【請求項１２】
音声データと非音声データを受信するためのモバイル機器であって、
モバイル機器のユーザが基地局を経由する音声通話を終了させた後、前記モバイル機器と基地局との間の接続を維持する手段と、
前記接続が維持されている間、非音声データを受信する受信手段と、
前記非音声データを受信すると、前記モバイル機器と基地局間の接続を切る手段と、から成る、前記モバイル機器。
【請求項１３】
非音声データが受信される周波数に対応するユーザから入力を受信する受信手段を更に含み、前記受信する手段が前記周波数に従って前記非音声データを受信する、請求項１２記載のモバイル機器。
【請求項１４】
受信手段により受信される非音声データに含まれる項目の選択に対応するユーザから入力を受信する手段を更に含み、受信手段が前記選択に従って前記非音声データを受信する、請求項１２記載のモバイル機器。
【請求項１５】
モバイル機器が携帯電話である、請求項１２記載のモバイル機器。
【請求項１６】
非音声データが電子メール、株価情報、天気予報、ニュースのうちの少なくとも１つから成る、請求項１２記載のモバイル機器。
【手続補正２】
【補正対象書類名】明細書
【補正対象項目名】発明の名称
【補正方法】変更
【補正の内容】
【発明の名称】非音声データを供給する方法、非音声データを自動的に取得する方法、およびモバイル機器
【手続補正３】
【補正対象書類名】明細書
【補正対象項目名】０００７
【補正方法】変更
【補正の内容】
【０００７】
本発明のこれらの態様、およびその他の態様は、添付されている図面に関連して行われる好ましい実施例についての以下の詳細な説明から明らかとなる。
特許請求の範囲と実施例との対応関係を実施例で使われている参照番号を用いて示すと以下の通りである。
（請求項１）
モバイル機器に非音声データを供給する方法であって、
モバイル機器のユーザが基地局を経由する音声通話を終了させた後、モバイル機器と基地局との間の接続を維持するステップ（３４０）と、
前記接続が維持されている間、非音声データを受信するステップ（３５０）と、
前記非音声データを受信するステップを完了すると、前記モバイル機器と基地局間の接続を切るステップ（３６０）と、から成る、前記方法。
（請求項２）
非音声データが受信される周波数に対応するユーザから入力を受信するステップ（３３５）を更に含み、前記受信するステップが前記周波数に従って実行される（３５０）、請求項１記載の方法。
（請求項３）
非音声データを受信する前記ステップの間、非音声データに含まれる項目の選択に対応して、ユーザから入力を受信するステップ（３２５）を更に含み、且つ非音声データを受信する前記ステップが前記選択に従って実行される（３５０）、請求項１記載の方法。
（請求項４）
モバイル機器が携帯電話である、請求項１記載の方法。
（請求項５）
非音声データが、電子メール、株価情報、天気予報、ニュースのうちの少なくとも１つから成る、請求項１記載の方法。
（請求項６）
モバイル機器のユーザが特定の電話を掛けることにより非音声データが取得されるモバイル機器において、前記非音声データを自動的に取得する方法であって、
非音声データを音声通話の終りに追加する選択肢をユーザに与えるステップと、
ユーザが前記選択肢を選択すると、音声通話の終了時に前記非音声データを自動的に取得するステップ（３５０）と、から成る、前記方法。
（請求項７）
非音声データを取得する前記ステップが、
基地局を経由する音声通話をユーザが終了させた後、モバイル機器と基地局との間の接続を維持するステップ（３４０）と、
前記接続が維持されている間、非音声データを受信するステップ（３５０）と、
前記受信するステップの終了時に、前記モバイル機器と基地局との間の接続を切るステップ（３６０）と、から成る、請求項６記載の方法。
（請求項８）
非音声データが取得される周波数に対応するユーザから入力を受信するステップ（３３５）を更に含み、前記取得するステップが前記周波数に従って実行される（３５０）、請求項６記載の方法。
（請求項９）
非音声データを取得する前記ステップの間、前記非音声データに含まれる項目の選択に対応するユーザから入力を受信するステップ（３２５）を更に含み、前記取得するステップが前記選択に従って実行される（３５０）、請求項６記載の方法。
（請求項１０）
モバイル機器が携帯電話である、請求項６記載の方法。
（請求項１１）  
非音声データが、電子メール、株価情報、天気予報、ニュースのうちの少なくとも１つから成る、請求項６記載の方法。
（請求項１２）
音声データと非音声データを受信するためのモバイル機器であって、
モバイル機器のユーザが基地局を経由する音声通話を終了させた後、前記モバイル機器と基地局との間の接続を維持する手段と、
前記接続が維持されている間、非音声データを受信する受信手段と、
前記非音声データを受信すると、前記モバイル機器と基地局間の接続を切る手段と、から成る、前記モバイル機器。
（請求項１３）
非音声データが受信される周波数に対応するユーザから入力を受信する受信手段を更に含み、前記受信する手段が前記周波数に従って前記非音声データを受信する（２２０）、請求項１２記載のモバイル機器。
（請求項１４）
受信手段により受信される非音声データに含まれる項目の選択に対応するユーザから入力を受信する手段を更に含み、受信手段が前記選択に従って前記非音声データを受信する、請求項１２記載のモバイル機器。
（請求項１５）  
モバイル機器が携帯電話である、請求項１２記載のモバイル機器。
（請求項１６）
非音声データが電子メール、株価情報、天気予報、ニュースのうちの少なくとも１つから成る、請求項１２記載のモバイル機器。
【手続補正４】
【補正対象書類名】明細書
【補正対象項目名】００２５
【補正方法】変更
【補正の内容】
【００２５】
ユーザは、非音声データが受信される周波数（ｆｒｅｑｕｅｎｃｙ）を選択するよう要求される（ステップ３３０）。選択された周波数に対応するユーザから第３の入力が受信される（ステップ３３５）。
【手続補正５】
【補正対象書類名】明細書
【補正対象項目名】００２７
【補正方法】変更
【補正の内容】
【００２７】
次に、ユーザによる第２の入力（選択された項目）およびユーザによる第３の入力（周波数）に基づいて、非音声データが受信されるのかどうかが判断される（ステップ３４５）。もし非音声データが受信されなければ、この方法は終了する。もし受信されるならば、非音声データは、ユーザによる第２の入力とユーザによる第３の入力に従って受信される（ステップ３５０）。モバイル機器２２０と基地局２１０との接続が切られる（ステップ３６０）。モバイル機器２２０は自由に新しく電話を掛ける／電話を受けることができる。
【手続補正６】
【補正対象書類名】図面
【補正対象項目名】図３
【補正方法】変更
【補正の内容】
【図３】
2005510911.tif 000001